(57)【特許請求の範囲】
【請求項１】
プリンタの印字ヘッドに送出されるチューブやテープなどの帯状体が周方向に巻回されるとともに、軸線方向両端に軸部を有するリールと、前記帯状体を巻回したリールが収容された収容箱と、前記収容箱の内部にあって前記リールの軸部を回転可能に軸受けする軸受け部と、前記収容箱の所定部に開口され、前記帯状体を前記リールの接線方向に取り出す取出し口と、を具備した帯状体の収容構造において、
前記収容箱の取出し口を、前記収容箱の所定部を切り欠き一辺を折り返して開口させると共に、
この折り返し状態を保持する係止手段を設けたことを特徴とする帯状体の収容構造。
【請求項２】
前記取出し口は、前記リールの左端および右端より巻き出されてくる前記帯状体が引っ掛からず取り出せる寸法の横幅と、前記リールが最大径および最小径のとき前記帯状体が引っ掛からず取り出せる寸法の縦幅と、を有することを特徴とする請求項１に記載の帯状体の収容構造。
【請求項３】
前記収容箱は、ダンボールなどの紙材、金属板またはプラスチック板からなることを特徴とする請求項１又は２に記載の帯状体の収容構造。
【請求項４】
前記軸受け部は、ダンボールなどの紙材、金属板またはプラスチック板からなることを特徴とする請求項１乃至３のいずれか１項に記載の帯状体の収容構造。
【発明の詳細な説明】
【０００１】
【発明の属する技術分野】
本発明は、電気設備の端子番号や文字などが印字される電線用チューブやラベル用テープなどの帯状体の収容構造に関する。
【０００２】
【従来の技術】
従来、プリンタの印字ヘッドにインクリボンとともに、かさ巻きされた電線用チューブまたはラベル用テープを送出し、印字ヘッドおよびインクリボンのインクにより電線用チューブまたはラベル用テープに電気設備の端子番号や文字などを熱転写して印字するものがある。
【０００３】
【発明が解決しようとする課題】
しかしながら、電線用チューブやラベル用テープはかさ巻きされているので、印字ヘッドに電線用チューブやラベル用テープを送出する際、電線用チューブやラベル用テープはかさ巻き方向に対して直角方向より取り出されるため、巻きぐせがとれず、周方向に９０°捩じれた状態で印字ヘッドに送出される。
【０００４】
このように、電線用チューブやラベル用テープが捩じれた状態で印字ヘッドに送出されると、電線用チューブやラベル用テープの印字予定箇所に正確な印字が行なわれないなどの印字不良が発生し、最悪の場合は、プリンタが停止し印字不能になるという問題点がある。
【０００５】
本発明は、前記のような問題点に鑑みてなされたものであって、その目的とするところは、チューブやテープなどの帯状体の取り出し時の捩じれ発生をなくし、印字不良を防止することができる帯状体の収容構造を提供することにある。
【０００６】
本発明の前記ならびにその他の目的と新規な特徴は、本明細書の記述および添付図面から明らかになるであろう。
【０００７】
【課題を解決するための手段】
前記目的を達成すべく、本発明に係る帯状体の収容構造は、プリンタの印字ヘッドに送出されるチューブやテープなどの帯状体が周方向に巻回されるとともに、軸線方向両端に軸部を有するリールと、前記帯状体を巻回したリールが収容された収容箱と、前記収容箱の内部にあって前記リールの軸部を回転可能に軸受けする軸受け部と、前記収容箱の所定部に開口され、前記帯状体を前記リールの接線方向に取り出す取出し口と、を具備した帯状体の収容構造において、前記収容箱の取出し口を、前記収容箱の所定部を切り欠き一辺を折り返して開口させると共に、この折り返し状態を保持する係止手段を設けたことを特徴とする。
【０００８】
さらに、前記取出し口は、前記リールの左端および右端より巻き出されてくる前記帯状体が引っ掛からず取り出せる寸法の横幅と、前記リールが最大径および最小径のとき前記帯状体が引っ掛からず取り出せる寸法の縦幅と、を有することを特徴とする。
【０００９】
さらに、前記収容箱は、ダンボールなどの紙材、金属板またはプラスチック板からなることを特徴とする。
【００１０】
さらに、前記軸受け部は、ダンボールなどの紙材、金属板またはプラスチック板からなることを特徴とする。
【００１１】
【発明の実施の形態】
以下、本発明の実施の形態を図面に基づいて詳細に説明する。実施の形態を説明するに当たって、同一機能を奏するものは同じ符号を付して説明する。
【００１２】
図１は、本発明の実施の形態に係る帯状体の収容構造の組立て斜視図、図２は、本発明の実施の形態に係る帯状体の収容構造において収容箱内のリールに巻回された電線用チューブの正面図、図３は、本発明の実施の形態に係る帯状体の収容構造において収容箱内のリールに巻回された電線用チューブの平面図、図４は、本発明の実施の形態に係る帯状体の収容構造における軸部の正面図、図５は、本発明の実施の形態に係る帯状体の収容構造におけるプッシュリングの平面図、図６は、本発明の実施の形態に係る帯状体の収容構造における収容箱の展開図、図７は、本発明の実施の形態に係る帯状体の収容構造における軸受け部の展開図、図８（ａ）〜（ｃ）は、本発明の実施の形態に係る帯状体の収容構造において電線用チューブを取出し口より取り出す際の説明図、図９は、本発明の他の実施の形態に係る帯状体の収容構造の組立て斜視図である。
【００１３】
図１、２、３に示す帯状体の収容構造は、図示しないプリンタの印字ヘッドに送出される印字用の帯状体、たとえば電線用チューブ１が周方向に重ねて巻回されたリール２を有し、このリール２の軸線方向両端には、軸部３がプッシュリング４によって固定されている。
【００１４】
リール２の軸部３は１対の軸受け部５の凹部５ａに回転可能に軸受けされ、リール２を回転可能にしている。電線用チューブ１、リール２は収容箱６内に収容され、軸受け部５は収容箱６の内面に対向するように配置されている。
【００１５】
軸部３は、図４に示すように、概ね円筒体に成形され、その一端に大径のフランジ３ａが形成されるとともに、周部に鍔部３ｂが形成されている。軸部３は、フランジ３ａと鍔部３ｂ間に、図５に示すプッシュリング４の内孔４ａを嵌め込み、リール２の端部をフランジ３ａとプッシュリング４とで挟み込むことにより固定されている。
【００１６】
また、収容箱６および軸受け部５は、図６、７に示すように型抜きされたダンボールを折線ａに沿って折り上げ、所定形状に組立てたものである。なお、図中、７は収容箱６に貼着されたシールである。
【００１７】
収容箱６の側壁６ａには、電線チューブ１を収容箱６の下方より取り出すための取出し口６ｂが矩形状に開口されている。
【００１８】
この取出し口６ｂは、リール２の周部に対向する側壁６ａの部位の上辺を残して切り欠き、切欠き片６ｃの上辺を上方に折返して開口したものであり、取出し口６ｂは、切欠き片６ｃにより開閉されるようになっている。
【００１９】
切欠き片６ｃは、その前端部を外側に折り曲げ形成された舌片６ｄを有し、取出し口６ｂの開時に、舌片６ｄが取出し口６ｂの上方に形成された係止孔６ｅに挿入係止されるようになっている。
【００２０】
また、収容箱６に蓋６ｇを有し、収容箱６内に電線用チューブ１が収容された後、蓋６ｇを閉じることにより電線用チューブ１が梱包されるようになっている。その際、蓋６ｇに形成された係止孔６ｈに収容箱６の上部に形成された突片６ｆが挿入係止される。
【００２１】
取出し口６ｂの横幅αは、図２において、リール２の左端および右端より巻き出されてくる電線用チューブ１が引っ掛からず確実に取り出せる寸法に設計されている（図８（ａ）参照）。
【００２２】
また、取出し口６ｂの縦幅βは、リール２が最大径および最小径のとき、電線用チューブ１が引っ掛からず確実に取り出せる寸法に設計されている（図８（ｂ）参照）。
【００２３】
なお、電線用チューブ１を上方より取り出す場合は、取出し口６ｂが図８（ｂ）に示す取出し口６ｂより上方に形成され、リール２が最大径および最小径のとき、電線用チューブ１が引っ掛からず確実に取り出せる寸法に設計されている（図８（ｃ）参照）。
【００２４】
このように、本実施の形態によれば、リール２に電線用チューブ１が周方向に巻回され、電線用チューブ１をリール２の接線方向、すなわち電線用チューブ１の巻き方向とは反対方向より取り出すように構成されたので、電線用チューブ１は、巻きぐせがとれ、捩じれることなく、プリンタの印字ヘッドに送出される。これにより、電線用チューブ１の所定箇所に正確な印字が行なわれ、印字不良を防止することができる。
【００２５】
取出し口６ｂは、切欠き片６ｃにより開閉されるようになっているので、通常は、取出し口６ｂを閉じておくことにより、収容箱６への塵埃の侵入が回避され、電線用チューブ１の汚染を防止することができるなどメンテナンスに有効である。
【００２６】
また、収容箱６および軸受け部５は、ダンボールからなるので、低コストで容易に製作することができ、設計変更にも容易に対応することができる。
【００２７】
本実施の形態では、電線用チューブ１を例にとって説明したが、ラベル用テープなどに適用しても同様の効果が期待できる。
【００２８】
また、軸受け部５に代えて、図９に示すような軸受け部８を用いてもよい。この軸受け部８は、ダンボールからなる軸受け板８ａを複数枚重ね合せテープ９で固定したものである。
【００２９】
軸受け板８ａの上辺中央部には軸部３を回転可能に軸受けする凹部８ｂが形成され、この凹部８ｂの底にはテフロンテープ１０が貼着されている。
【００３０】
この軸受け部８の場合、軸受け板８ａを何重にも重ね合せることで所望の強度が容易に得られ、テフロンテープ１０の貼着により、軸部３の摺動抵抗が軽減され、リール２がスムースに回転される。なお、その他の構成ならびに動作は、図１と同様なので、その説明を割愛する。
【００３１】
また、収容箱６および軸受け部５，８は、ダンボールにより成形したが、その他の紙材、薄い金属板またはプラスチック板により成形してもよい。
【００３２】
【発明の効果】
以上の説明から理解されるように、本発明は、リールに帯状体が周方向に巻回され、帯状体をリールの接線方向より取り出すように構成されたので、帯状体は、捩じれることなく、プリンタの印字ヘッドに送出されるため、帯状体の所定箇所に正確な印字が行なわれ、印字不良を防止することができる。
【００３３】
また、収容箱および軸受け部は、ダンボールなどの紙材からなるので、低コストで容易に製作することができ、設計変更にも容易に対応することができる。
【図面の簡単な説明】
【図１】本発明の実施の形態である帯状体の収容構造の組立て斜視図である。
【図２】本発明の実施の形態である帯状体の収容構造において収容箱内のリールに巻回された電線用チューブの正面図である。
【図３】本発明の実施の形態である帯状体の収容構造において収容箱内のリールに巻回された電線用チューブの平面図である。
【図４】本発明の実施の形態である帯状体の収容構造における軸部の正面図である。
【図５】本発明の実施の形態である帯状体の収容構造におけるプッシュリングの平面図である。
【図６】本発明の実施の形態である帯状体の収容構造における収容箱の展開図である。
【図７】本発明の実施の形態である帯状体の収容構造における軸受け部の展開図である。
【図８】（ａ）〜（ｃ）は、本発明の実施の形態である帯状体の収容構造において電線用チューブを取出し口より取り出す際の説明図である。
【図９】本発明の他の実施の形態である帯状体の収容構造の組立て斜視図である。
【符号の説明】
１電線用チューブ
２リール
３軸部
３ａフランジ
３ｂ鍔部
４プッシュリング
４ａ内孔
５，８軸受け部
５ａ，８ｂ凹部
６収容箱
６ａ側壁
６ｂ取出し口
６ｃ切欠き片
６ｄ舌片
６ｅ，６ｈ係止孔
６ｆ突片
６ｇ蓋
７シール
８ａ    軸受け板
９    テープ
１０    テフロンテープ
【図１】
0003552576.tif 000002
【図２】
0003552576.tif 000003
【図３】
0003552576.tif 000004
【図４】
0003552576.tif 000005
【図５】
0003552576.tif 000006
【図６】
0003552576.tif 000007
【図７】
0003552576.tif 000008
【図８】
0003552576.tif 000009
【図９】
0003552576.tif 000010